(57)【特許請求の範囲】
【請求項１】
複写スタート指令を入力するスイッチ手段と、
複写部数設定値を記憶する設定値記憶手段と、
試し複写有無の状態を記憶する状態記憶手段と
制御手段とを有し、該制御手段は、
複写スタート指令の入力が普通と異なるか否かを判定し、
肯定判定した場合には、該複写部数設定値によらず複写部数設定値を１とみなすとともに、該試し複写有無の状態を有りの状態にし、
否定判定し、かつ、該試し複写有無の状態が有りの状態である場合には、該複写部数設定値を１だけ小さい値とみなすとともに、該試し複写有無の状態を無しの状態にする、
ことを特徴とする複写装置。
【請求項２】
該制御手段は、設定時間内に該スタート指令が複数回入力されたと判定した場合には該複写スタート指令の入力が普通と異なると判定することを特徴とする請求項１に記載の複写装置。
【請求項３】
該制御手段は、該スタート指令が継続して設定時間以上入力されたと判定した場合には該複写スタート指令の入力が普通と異なると判定することを特徴とする請求項１に記載の複写装置。
【発明の詳細な説明】
【技術分野】
【０００１】
本発明は、試し複写モード自動切換機能を備えた複写装置及び試し複写方法に関する。
【背景技術】
【０００２】
複写装置における従来の試し複写では、複写部数を設定してスタートキーを押下すると、１部のみ複写され、ユーザがその結果に応じて複写の濃度や倍率等の設定を変更してスタートキーを押下すると、再度１部のみ複写され、次に設定変更なしでスタートキーを押下すると、設定部数より１だけ少ない部数の複写が行われる（例えば下記特許文献１）。
【０００３】
しかしながら、スタートキーを押下する前に複写モードを試し複写モードに切り換えなければ、試し複写モードの機能を利用することができない。
【０００４】
一方、複写装置の多機能化により、選択可能なモードの数が多くなっているので、ユーザはモードを切り換えずに通常の複写を行う場合が多い。
【０００５】
このため、試し複写モードの機能が便利であるにも関わらず、活用されていないという問題があった。
【特許文献１】特開２００４−０１５４７５号公報
【発明の開示】
【発明が解決しようとする課題】
【０００６】
本発明は、このような問題点に鑑み、ユーザの操作行動に応じて試し複写モードに自動移行することが可能な、試し複写モード自動切換機能を備えた複写装置及び試し複写方法を提供することにある。
【課題を解決するための手段】
【０００７】
本発明による試し複写装置の一態様では、
複写スタート指令を入力するスイッチ手段と、
複写部数設定値を記憶する設定値記憶手段と、
試し複写有無の状態を記憶する状態記憶手段と
制御手段とを有し、該制御手段は、例えば図２に示す如く、
複写スタート指令の入力が普通と異なるか否か、例えば設定時間内に該スタート指令が複数回入力されたか否か又は該スタート指令が継続して設定時間以上入力されたか否かを判定し（Ｓ０）、
肯定判定した場合には、該複写部数設定値によらず複写部数設定値を１とみなすとともに、該試し複写有無の状態を有りの状態にし（Ｓ１）、
否定判定し、かつ、該試し複写有無の状態が有りの状態である場合には、該複写部数設定値を１だけ小さい値とみなすとともに、該試し複写有無の状態を無しの状態にする（Ｓ２、Ｓ３）。
【発明の効果】
【０００８】
上記態様の構成によれば、複写スタート指令の入力が普通と異なるか否かを判定し、肯定判定した場合には、該複写部数設定値によらず複写部数設定値を１とみなすとともに、試し複写有無の状態を有りの状態にし、否定判定し、かつ、該試し複写有無の状態が有りの状態である場合には、該複写部数設定値を１だけ小さい値とみなすとともに、該試し複写有無の状態を無しの状態にするので、例えば試し複写モードを設定することなく、複写スタート指令の設定時間内複数回入力で簡単に試し複写モードに自動移行することができ、複写装置の操作性向上に寄与するところが大きい。
【０００９】
本発明の他の目的、構成及び効果は以下の説明から明らかになる。
【実施例１】
【００１０】
図１は、本発明の実施例１に係る複写装置１０の概略構成を示すブロック図である。
【００１１】
この複写装置１０では、制御部１１に操作部１２、スキャナ１３、画像メモリ１４、設定情報メモリ１５、画像処理部１６、原稿カバースイッチ１７、画像形成部１８及びオートシートフィーダ１９が結合されている。制御部１１及び画像処理部１６は、プロセッサに記憶装置が結合されたコンピュータで構成されており、この記憶装置にはＯＳ及びアプリケーションプログラムが格納されている。操作部１２は、手操作入力手段と表示装置とを備えており、例えばタッチパネルと操作キーとを備えている。
【００１２】
操作部１２のスタートキー１２１を押下すると、制御部１１はこれに応答して、スキャナ１３に対し原稿台に載置された原稿の画像を読み取らせ、そのデータを画像メモリ１４に格納する。操作部１２で設定された値は設定情報メモリ１５に格納され、画像処理部１６はこの設定値に基づいて画像メモリ１４の内容に対し処理を行う。設定情報メモリ１５にはさらに、複写部数設定値Ｎ及び後述の試し複写モードフラグＦｍが格納される。制御部１１は、設定情報メモリ１５に格納された値に基づいて画像メモリ１４の内容の画像を画像形成部１８に対し所定部数形成させる。
【００１３】
制御部１１は、設定時間以上操作部１２が操作されないと、設定情報メモリ１５に格納された複写部数設定値Ｎをゼロクリアし試し複写モードフラグＦｍをリセットする。このゼロクリア及びリセットは、電源オン時の初期化処理においても行われる。
【００１４】
図２は、複写装置１０の制御部１１で実行される処理の概略フローチャートである。
【００１５】
（Ｓ０）スタートキー１２１が特殊押下されたか否か（スタートキー１２１の押下により生ずる複写スタート指令の入力が普通と異なるか否か）、例えば、設定時間０．５秒以内に２回以上押下されたか否か（スタート指令が０．５秒以内に複数回入力されたか否か）、又は、設定時間１秒以上長押しされたか否か（スタート指令が継続して１秒以上入力されたか否か）を判定する。特殊押下された場合にはステップＳ１へ進み、そうでなければステップＳ２へ進む。
【００１６】
（Ｓ１）試し複写モードフラグＦｍをセットし、原稿台上の原稿を１部だけ複写して処理を終了する。
【００１７】
（Ｓ２）Ｆｍ＝‘１’であればステップＳ３へ進み、そうでなければステップＳ４へ進む。
【００１８】
（Ｓ３）試し複写モードフラグＦｍをリセットし、（Ｎ−１）部複写して処理を終了する。
【００１９】
（Ｓ４）Ｎ部複写して処理を終了する。
【００２０】
次に、上記のような処理により試し複写モードへ自動移行することを図３に基づいて具体的に説明する。図３は、Ｎ＝１０と設定しスタートキー１２１を特殊押下して原稿を１部複写し視認した後、スタートキー１２１を普通押下（長押し無しの１回押下）してこの原稿を９部複写し、次に原稿を取り換えスタートキー１２１を普通押下して１０部複写する場合を示す。
【００２１】
（Ｔ０）原稿カバーＣを開けて１頁目の原稿をセットする。
【００２２】
（Ｔ１）操作部１２を操作してＮ＝１０とし、スタートキー１２１を特殊押下する。
【００２３】
（Ｔ２）ステップＳ０からステップＳ１へ進んでＦｍ＝１となり、１枚だけ複写される。
【００２４】
（Ｔ３）スタートキー１２１を普通押下すると、ステップＳ０からステップＳ２へ進み、Ｆｍ＝１であるので、ステップＳ３へ進んで９部複写され、Ｆｍ＝‘０’となる。
【００２５】
（Ｔ４）原稿カバーＣを開けて原稿を２頁目と取り換える。
【００２６】
（Ｔ５）スタートキー１２１を普通押下すると、ステップＳ０、Ｓ２を通ってステップＳ４へ進み、この原稿画像が１０部複写される。
【００２７】
本実施例１によれば、スタートキー１２１が設定時間内に特殊押下されたか否かを判定し、肯定判定した場合には、複写部数設定値Ｎの値によらず複写部数設定値を１とみなすとともに、試し複写モードフラグＦｍをセットし、否定判定し、かつ、Ｆｍ＝‘１’である場合には、複写部数設定値を（Ｎ−１）とみなすとともに、試し複写モードフラグＦｍをリセットするので、試し複写モードを設定することなく、スタートキー１２１の特殊押下で簡単に試し複写モードに自動移行することができ、複写装置の操作性向上に寄与するところが大きい。
【００２８】
なお、本発明には外にも種々の変形例が含まれる。
【００２９】
例えば、上記実施例では原稿台に原稿を載置する場合を説明したが、本発明は図１に示すオートシートフィーダ１９の原稿セット台１９１に原稿を搭載する場合にも適用可能である。
【００３０】
また、上記実施例ではスタートキー１２１の出力信号で制御部１１に対し割り込みが掛けられる場合を説明したが、本発明はこれに限定されず、周期的にスタートキー１２１の出力信号をスキャンしその信号に応じて処理を行う構成であってもよいことは勿論である。
【００３１】
さらに、本発明の複写装置は、複合機やプリンタに組み込まれた複写機能を有する複写装置であってもよい。
【図面の簡単な説明】
【００３２】
【図１】本発明の実施例１に係る複写装置の概略構成を示すブロック図である。
【図２】図１の複写装置の制御部で実行される処理の概略フローチャートである。
【図３】図２の処理が繰り返されたときに、スタートキーの特殊押下と普通押下の履歴に基づいて自動的に試し複写モードが実行される場合を示すシーケンス図である。
【符号の説明】
【００３３】
１０  複写装置
１１  制御部
１２  操作部
１２１  スタートキー
１３  スキャナ
１４  画像メモリ
１５  設定情報メモリ
１６  画像処理部
１８  画像形成部
１９  オートシートフィーダ
１９１  原稿セット台
Ｆｍ  試し複写モードフラグ
Ｎ  複写部数設定値
【図１】
0004711413.tif 000002
【図２】
0004711413.tif 000003
【図３】
0004711413.tif 000004